(57)【要約】  【課題】  定着部における消費電力を低減すること。  【解決手段】  電源が投入されるとエンジンドライバは、定着部の立ち上がり時間（Ｘ時間）を算出する。画像処理部は印刷ジョブを受信すると、印刷データをイメージ画像データに展開するページ展開を開始する。残ページ展開時間を算出し、この残ページ展開時間と、定着部の立ち上がり時間とを比較する。残ページ展開時間が定着部の立ち上がり時間より短い場合（Ｃ時間である場合）、定着部の立ち上げ開始タイミングをシステム制御部へ通知し、さらに、エンジンドライバへ定着部の立ち上げ開始を要求する。エンジンドライバは、定着部の立ち上げ制御、即ち加熱装置によるローラの加熱処理を開始する。このタイミングで定着部の立ち上げを開始することにより、ウォームアップが終了するタイミングと、ページ展開が終了するタイミングとを合わせることができる。  【選択図】  図４
2006251363.tif 000002
【特許請求の範囲】
【請求項１】
印刷データをイメージ画像データへ展開するページ展開手段と、
前記ページ展開手段における、イメージ画像データの展開が終了するまでに要する残り時間を算出する残時間算出手段と、
前記イメージ画像データに基づいて、記録媒体に画像を形成する画像形成手段と、
前記画像形成手段が作動できる状態となるまでに要する時間を算出する起動時間算出手段と、
前記残時間算出手段により算出される残時間と、前記起動時間算出手段により算出される前記画像形成手段の起動時間と、を比較する比較手段と、
前記比較手段による比較の結果、前記残時間算出手段により算出される残時間が、前記起動時間算出手段により算出される前記画像形成手段の起動時間より短い、または同等である場合、前記画像形成手段の駆動制御を開始する画像形成制御手段と、
を備えたことを特徴とする画像形成装置。
【請求項２】
前記画像形成手段は、
前記イメージ画像データに基づいて、トナー像を生成する潜像生成手段と、
前記トナー像を記録媒体に転写する転写手段と、
前記記録媒体に転写されたトナー像を、熱を用いて前記記録媒体に定着させる定着手段と、からなり、
前記起動時間算出手段は、前記定着手段が作動できる状態となるまでに要する時間を算出し、
前記画像形成制御手段は、前記比較手段による比較の結果、前記残時間算出手段により算出される残時間が、前記起動時間算出手段により算出される前記定着手段の起動時間より短い、または同等である場合、前記定着手段の加熱を開始することを特徴とする請求項１記載の画像形成装置。
【請求項３】
雰囲気温度、湿度、前記定着手段の温度のうちの少なくとも１つを検出する検出手段を備え、
前記起動時間算出手段は、前記検出手段により検出された情報に基づいて、前記定着手段が作動できる状態となるまでに要する時間を算出することを特徴とする請求項２記載の画像形成装置。
【請求項４】
前記画像形成手段は、電子写真プロセスまたはインクジェットプロセスを用いて記録媒体に画像を形成することを特徴とする請求項１、請求項２または請求項３記載の画像形成装置。
【請求項５】
前記起動時間算出手段は、当該画像形成装置の電源投入時、所定の待機状態からの復帰時、または、前記イメージ画像データの展開の開始時に前記画像形成手段が作動できる状態となるまでに要する時間を算出することを特徴とする請求項１、請求項２、請求項３または請求項４記載の画像形成装置。
【請求項６】
前記印刷データが複数存在する場合には、個々の前記印刷データに対する前記イメージ画像データへの展開が開始される都度、前記残時間算出手段により算出される残時間と、前記起動時間算出手段により算出される前記画像形成手段の起動時間との比較を行うことを特徴とする請求項１乃至請求項５のうちの何れか１の請求項に記載の画像形成装置。
【請求項７】
前記画像形成制御手段による前記画像形成手段の制御を開始するタイミングと同期して、前記画像形成手段を構成する装置を起動させることを特徴とする請求項１乃至請求項６のうちの何れか１の請求項に記載の画像形成装置。
【請求項８】
前記画像形成制御手段は、前記比較手段による比較の結果、前記残時間算出手段により算出される残時間が、前記起動時間算出手段により算出される前記画像形成手段の起動時間より長い場合、前記画像形成手段の駆動制御を停止することを特徴とする請求項１乃至請求項７のうちの何れか１の請求項に記載の画像形成装置。
【請求項９】
前記ページ展開手段を有する画像処理部において、前記残時間算出手段により算出される残時間と、前記起動時間算出手段により算出される前記画像形成手段の起動時間と、の比較処理を行うことを特徴とする請求項１乃至請求項８のうちの何れか１の請求項に記載の画像形成装置。
【請求項１０】
前記イメージ画像データへの展開は、前記印刷データのページ単位、ジョブ単位、またはファイル単位で行うことを特徴とする請求項１乃至請求項９のうちの何れか１の請求項に記載の画像形成装置。
【発明の詳細な説明】
【技術分野】
【０００１】
本発明は、例えば、プリンタ装置、電子複写装置、ファクシミリ装置などの画像形成装置に関する。
【背景技術】
【０００２】
電子複写装置やプリンタ装置など電子写真プロセス技術を用いて画像を形成する画像形成装置は、感光体ユニット、現像部、転写部および定着部を備えている。
このような画像形成装置は、パソコンなどで作成・編集された文章や絵、写真などのファイルデータを制御言語の形式に変換した印刷データを受信し、この印刷データに基づいて画像形成処理を行う。
画像形成装置は、制御言語形式の印刷データを受信すると、コントローラ部でこの印刷データの解析を行う。
詳しくは、画像形成装置は、受信した印刷データを内部に設けられているメモリに読み込む。そして、メモリに読み込まれた印刷データをメモリ上で展開する。
解析が終わったデータ、即ち、データの展開処理が済んだデータは、ドット（点）の集まったイメージ画像データとして生成され、画像形成処理（印刷処理）を行うためにエンジン部へ転送される。
【０００３】
エンジン部では、実際にイメージ画像を記録媒体上に形成するための制御が行われる。
まず、エンジン部は、感応体ドラムの表面に電荷を付着させ、この帯電した感光体ドラム上にレーザで露光してイメージ画像と同じ形の電荷パターンを作る。
次に、現像部において、感光体ドラムの表面に形成された電荷パターンと逆の電荷を持つトナーを感光体ドラムに付着させて（吸い付かせて）トナー像を形成する。
そして、転写部において、静電気を使ってトナー像を紙などの記録媒体に転写する。トナー像が転写された記録媒体は、搬送装置によって定着部へ搬送される。
定着部において、トナー像が転写された記録媒体の表面に熱と圧力を加えることによってトナー像を記録媒体に定着（固着）する。
【０００４】
このようなトナー像を記録媒体に定着させる際に熱を用いる熱定着方式を用いた画像形成装置では、その定着部が適切な温度まで熱せられていない場合には、トナー像の記録媒体への定着が十分に行われないといった定着不良を生じるおそれがある。
このような定着不良を改善させるために、画像形成装置の起動時や省エネルギー状態などスタンバイ状態からの復帰時には、定着部を十分に加熱することが可能な装置を用いているようにしている。
また、高速で画像形成を行う画像形成装置においては、記録媒体が通過（通紙）する際に奪われる熱による定着部の温度低下を抑制するために、定着ローラや加圧ローラなどの部材を大型化し、熱容量を増大させた構成を用いるようにしている。
【０００５】
ところが、熱容量を増大させた定着部を用いた場合、定着部を適切な温度（所定の設定温度）まで上昇させるために必要な時間が長くなってしまい、画像形成処理における時間の短縮化を図ることが困難となる。
なお、電源投入時やスタンバイ状態からの復帰時などから、画像形成処理の準備が完了するまでの時間、即ち起動時間（立ち上がり時間）は、定着部が設定温度まで上昇する時間（加熱時間）に依存する割合が高く、特に高速機においてはその傾向が顕著である。
【０００６】
従来、起動時間（立ち上がり時間）を短縮化するための技術が下記の特許文献をはじめ種々提案されている。
【特許文献１】特開２００３−３３０３１２公報
【特許文献２】特開２００２−９１２３０公報
【特許文献３】特開２００１−３５６６６６公報
【０００７】
特許文献１には、定着装置の動作モードを変更することにより、使用状態へ復帰する時間の短縮化を図る技術が提案されている。
また、特許文献２には、予め、プレヒート信号をプリンタエンジンに発行し、定着器を定着温度よりも低い待機温度に制御しておくことにより、ファーストプリント時間の短縮化を図る技術が提案されている。
さらに、特許文献３には、定着可能温度より低い第１リロード温度に到達した後、コントローラからエンジンへデータを転送し、第１リロード温度よりも高い温度の第２リロード温度に到達した後、プリント動作を開始させることにより、起動時間の短縮化を図る技術が提案されている。
【発明の開示】
【発明が解決しようとする課題】
【０００８】
しかしながら、上述した技術を用いて起動時間（立ち上がり時間）の短縮化を図る場合には、予め定着部を昇温させておく必要がある。
また、メモリに読み込まれた印刷データをメモリ上でイメージ画像データに展開する際に時間がかかるような場合には、印刷処理が開始されるまでの期間、定着部を保温する必要があり、この保温のために電力が無駄に消費されてしまう。
そこで本発明は、起動時間（立ち上がり時間）内に消費される電力を低減させることができる画像形成装置を提供することを目的とする。
【課題を解決するための手段】
【０００９】
請求項１記載の発明では、印刷データをイメージ画像データへ展開するページ展開手段と、前記ページ展開手段における、イメージ画像データの展開が終了するまでに要する残り時間を算出する残時間算出手段と、前記イメージ画像データに基づいて、記録媒体に画像を形成する画像形成手段と、前記画像形成手段が作動できる状態となるまでに要する時間を算出する起動時間算出手段と、前記残時間算出手段により算出される残時間と、前記起動時間算出手段により算出される前記画像形成手段の起動時間と、を比較する比較手段と、前記比較手段による比較の結果、前記残時間算出手段により算出される残時間が、前記起動時間算出手段により算出される前記画像形成手段の起動時間より短い、または同等である場合、前記画像形成手段の駆動制御を開始する画像形成制御手段と、を備えることにより前記目的を達成する。
【００１０】
請求項２記載の発明では、請求項１記載の発明において、前記画像形成手段は、前記イメージ画像データに基づいて、トナー像を生成する潜像生成手段と、前記トナー像を記録媒体に転写する転写手段と、前記記録媒体に転写されたトナー像を、熱を用いて前記記録媒体に定着させる定着手段と、からなり、前記起動時間算出手段は、前記定着手段が作動できる状態となるまでに要する時間を算出し、前記画像形成制御手段は、前記比較手段による比較の結果、前記残時間算出手段により算出される残時間が、前記起動時間算出手段により算出される前記定着手段の起動時間より短い、または同等である場合、前記定着手段の加熱を開始する。
【００１１】
請求項３記載の発明では、請求項２記載の発明において、雰囲気温度、湿度、前記定着手段の温度のうちの少なくとも１つを検出する検出手段を備え、前記起動時間算出手段は、前記検出手段により検出された情報に基づいて、前記定着手段が作動できる状態となるまでに要する時間を算出する。
【００１２】
請求項４記載の発明では、請求項１、請求項２または請求項３記載の発明において、前記画像形成手段は、電子写真プロセスまたはインクジェットプロセスを用いて記録媒体に画像を形成する。
【００１３】
請求項５記載の発明では、請求項１、請求項２、請求項３または請求項４記載の発明において、前記起動時間算出手段は、当該画像形成装置の電源投入時、所定の待機状態からの復帰時、または、前記イメージ画像データの展開の開始時に前記画像形成手段が作動できる状態となるまでに要する時間を算出する。
【００１４】
請求項６記載の発明では、請求項１乃至請求項５のうちの何れか１の請求項に記載の発明において、前記印刷データが複数存在する場合には、個々の前記印刷データに対する前記イメージ画像データへの展開が開始される都度、前記残時間算出手段により算出される残時間と、前記起動時間算出手段により算出される前記画像形成手段の起動時間との比較を行う。
【００１５】
請求項７記載の発明では、請求項１乃至請求項６のうちの何れか１の請求項に記載の発明において、前記画像形成制御手段による前記画像形成手段の制御を開始するタイミングと同期して、前記画像形成手段を構成する装置を起動させる。
【００１６】
請求項８記載の発明では、請求項１乃至請求項７のうちの何れか１の請求項に記載の発明において、前記画像形成制御手段は、前記比較手段による比較の結果、前記残時間算出手段により算出される残時間が、前記起動時間算出手段により算出される前記画像形成手段の起動時間より長い場合、前記画像形成手段の駆動制御を停止する。
【００１７】
請求項９記載の発明では、請求項１乃至請求項８のうちの何れか１の請求項に記載の発明において、前記ページ展開手段を有する画像処理部において、前記残時間算出手段により算出される残時間と、前記起動時間算出手段により算出される前記画像形成手段の起動時間と、の比較処理を行う。
【００１８】
請求項１０記載の発明では、請求項１乃至請求項９のうちの何れか１の請求項に記載の発明において、前記イメージ画像データへの展開は、前記印刷データのページ単位、ジョブ単位、またはファイル単位で行う。
【発明の効果】
【００１９】
請求項１記載の発明によれば、残時間算出手段により算出される残時間が、起動時間算出手段により算出される画像形成手段の起動時間より短い、または同等である場合、画像形成手段の駆動制御を開始することにより、ページ展開手段における画像処理の待機時間に、画像形成手段の駆動制御を効率的に実施することができる。
請求項２記載の発明によれば、残時間算出手段により算出される残時間が、起動時間算出手段により算出される定着手段の起動時間より短い、または同等である場合、定着手段の加熱を開始することにより、ページ展開手段における画像処理の待機時間に、定着手段の加熱制御、即ち昇温制御を効率的に実施することができる。これにより、定着手段への通電時間の短縮化を図ることができるため、消費電力を低減（削減）することができる。
【００２０】
請求項３記載の発明によれば、検出手段により検出された情報に基づいて、定着手段が作動できる状態となるまでに要する時間を算出することにより、起動時間の算出精度を向上させることができる。
請求項４記載の発明によれば、電子写真プロセスまたはインクジェットプロセスを用いて記録媒体に画像を形成することにより、ページ展開手段における画像処理の待機時間に、電子写真プロセスまたはインクジェットプロセスの調整を効率的に実施することができる。
請求項５記載の発明によれば、当該画像形成装置の電源投入時、所定の待機状態からの復帰時、または、イメージ画像データの展開の開始時に画像形成手段が作動できる状態となるまでに要する時間を算出することにより、適切なタイミングで起動時間の算出を行うことができる。
【００２１】
請求項６記載の発明によれば、個々の前記印刷データに対する前記イメージ画像データへの展開が開始される都度、比較手段による残時間算出手段により算出される残時間と、起動時間算出手段により算出される画像形成手段の起動時間との比較を行うことにより、画像形成手段が作動できる状態となるタイミングと、イメージ画像データの展開が終了するタイミングとの差を低減することができる。
請求項７記載の発明によれば、画像形成制御手段による画像形成手段の制御を開始するタイミングと同期して、画像形成手段を構成する装置を起動させることにより、対象装置の稼動時間、通電時間の短縮化を図ることができる。
【００２２】
請求項８記載の発明によれば、残時間算出手段により算出される残時間が、起動時間算出手段により算出される画像形成手段の起動時間より長い場合、画像形成手段の駆動制御を停止することにより、無駄な制御処理が実行されることを回避することができる。
請求項９記載の発明によれば、画像処理部において、残時間算出手段により算出される残時間と、起動時間算出手段により算出される画像形成手段の起動時間と、の比較処理を行うことにより、制御の分散化を図ることが容易になり、装置の複雑化を抑制することができる。また、主制御装置における制御処理の集中化を抑制することができる。
請求項１０記載の発明によれば、イメージ画像データへの展開を、印刷データのページ単位、ジョブ単位、またはファイル単位で行うことにより、印刷データの単位にかかわらず制御をすることが可能となる。
【発明を実施するための最良の形態】
【００２３】
以下、本発明の好適な実施の形態について、図１〜図６を参照して詳細に説明する。
本実施の形態では、画像形成装置の一例として、レーザ光を使用した電子写真方式のページプリンタ、即ちレーザプリンタ１を用いて説明を行う。
図１は、本実施の形態に係るレーザプリンタ１における機能ブロックの概略構成を示した図である。
図１に示すように、レーザプリンタ１は、コントローラ部１０、エンジンドライバ２０定着部３０、感光体４０、現像部５０、転写部６０、操作パネル７０を備えている。
コントローラ部１０は、レーザプリンタ１における画像形成処理のメイン制御を行う。コントローラ部１０は、Ｉ／Ｏ（入力／出力）部１１、システム制御部１２、ＣＰＵ（中央演算処理装置）１３、メモリ１４、ＡＳＩＣ（特定用途向け集積回路）１５、画像処理部１６を備えており、各装置はバスラインを介して接続されている。
【００２４】
Ｉ／Ｏ部１１は、ホストＰＣ２から転送されるコマンドデータや印刷データなどの印刷ジョブデータを受信したり、ホストＰＣ２へ各種データを出力したりするための外部インターフェースとして機能する。
Ｉ／Ｏ部１１は、後述する操作パネル７０から入力されるデータを受信したり、コントローラ部１０から操作パネル７０へデータを出力したりするための、コントローラ部１０と操作パネル７０との間のインターフェースとしても機能する。
ホストＰＣ２や操作パネル７０から送信されるデータは、このＩ／Ｏ部１１を介してコントローラ部１０に入力される。
【００２５】
システム制御部１２は、実際に画像形成処理を施すレーザプリンタ１内部の各装置の動作を制御する機能を有する。
また、システム制御部１２は、レーザプリンタ１内部の各装置から転送されるデータを受信し、データの内容に応じて所定の処理を実行する機能を有する。
ＣＰＵ１３は、メモリ１４等の記憶装置に格納されているプログラムに従って、コントローラ部１０の制御を行う。ＣＰＵ１３は、レジスタと呼ばれる記憶部を有しており、このレジスタにプログラムファイルを読み込み、このプログラムに従って動作することによりコントローラ部１０の各種機能が発揮される。
【００２６】
メモリ１４は、ＲＯＭ（リード・オンリ・メモリ）およびＲＡＭ（ランダム・アクセス・メモリ）から構成される主記憶装置である。
ＲＯＭは、ＣＰＵ１３が各種演算や制御を行うための各種プログラム、データおよびパラメータなどを格納する。
なお、ＣＰＵ１３は、ＲＯＭからプログラムやデータ、パラメータなどを読み込むことはできるが、これらを書き換えたり消去したりすることは行わない。
ＲＡＭは、ＣＰＵ１３にワーキングメモリとして使用される。ＣＰＵ１３は、ＲＡＭにプログラムやデータなどを書き込んだり消去したりすることができる。
【００２７】
ＡＳＩＣ１５は、レーザプリンタ１における画像形成処理専用の制御回路が形成された集積回路である。
画像処理部１６は、ページメモリ１６１を備え、ホストＰＣから送信された制御言語形式の印刷データをページメモリ１６１上でイメージ画像データに展開する。
なお、イメージ画像データとは、感光体４０上に形成される各画素に対応したビットマップデータである。画像処理部１６におけるデータの展開処理は、１ページごとに行われるが、データの展開処理に必要な時間は、印刷データの大きさによって異なる。
【００２８】
エンジンドライバ２０は、定着部３０、感光体４０、現像部５０、転写部６０、また、図示されていないが、レーザ光学系、帯電チャージャ、転写チャージャ、搬送装置、排紙部、レジストローラ、クリーニング部などのエンジン部を制御する。
エンジンドライバ２０は、ＣＰＵ２１および制御回路２２を備え、これらの装置で処理されたデータに基づいて、エンジン部の各装置の駆動（動作）制御を行う。
定着部３０、感光体４０、現像部５０、転写部６０などのエンジン部を構成する装置は、エンジンドライバ２０からの制御信号（動作コマンド）に従って駆動（動作）するように構成されている。
【００２９】
定着部３０は、ローラ３１、加熱装置３２、センサ３３を備えている。
ローラ３１は、用紙に圧力と熱を加えるための、加圧ローラおよび定着ローラから構成されている。
加熱装置３２は、ローラ３１を加熱するシーズヒータやニクロム線ヒータ等の抵抗発熱体、棒状のハロゲンヒータ、または、電磁波によりローラ３１の表面に渦電流を生じさせて、ローラ３１の加熱を外部から誘導する加熱誘導装置などによって構成されている。
センサ３３は、ローラ３１の温度を検出する温度センサや湿度センサなどの検出装置によって構成されている。
【００３０】
ここで、レーザプリンタ１における画像形成処理、即ち、印刷処理の手順について簡単に説明する。
まず、ホストＰＣ２は、文章や絵、写真などのファイルデータをレーザプリンタ１が理解可能な制御言語の形式に変換し、印刷データを作成する。
そして、ホストＰＣ２からこの印刷データがレーザプリンタ１へ送信されると、レーザプリンタ１は、Ｉ／Ｏ部１１で印刷データを受信する。そして、受信した印刷データをメモリ１４に格納する。
次に、画像処理部１６において、メモリ１４に格納された印刷データをページメモリ１６１上でイメージ画像データに展開する。
イメージ画像データへの展開処理が完了し、印刷処理の準備ができると、システム制御部１２は、エンジンドライバ２０へ印刷指示を出す。
この時、展開されたイメージ画像データは、システム制御部１２を介して、エンジンドライバ２０へ転送される。
【００３１】
エンジンドライバ２０は、このイメージ画像データに基づいて、実際にイメージ画像を形成するエンジン部の制御を行う。
まず、帯電チャージャを用いて感光体４０の表面に電荷を付着させ、この帯電した感光体４０上にレーザ光学系を制御することによってイメージ画像と同じ形の電荷パターンを形成する。
次に、現像部５０において、感光体４０の表面に形成された電荷パターンと逆の電荷を持つトナーを感光体４０に付着させて（吸い付かせて）トナー像を形成する。
そして、転写部６０において、静電気を使ってトナー像を紙などの記録媒体に転写する。トナー像が転写された記録媒体は、搬送装置によって定着部３０へ搬送される。
定着部３０において、ローラ３１および加熱装置３２を用いて、トナー像が転写された記録媒体の表面に圧力と熱を加えることによってトナー像を記録媒体に定着（固着）する。
このようにして記録媒体上に画像が形成される。
【００３２】
次に、本実施の形態に係るレーザプリンタ１における定着部３０の制御方法について説明する。
本実施の形態に係るレーザプリンタ１では、定着部３０における無駄な電力消費を抑制するために、起動時間（立ち上がり時間）内、即ち、イメージ画像データへの展開処理が完了し印刷準備ができるまでの時間内における、加熱装置３２の稼動時間の短縮化を図る制御を行う。
具体的には、印刷ジョブデータを受信した時ではなく、印刷準備が終了する直前、即ち、イメージ画像データへの展開処理が完了する直前のタイミングで、加熱装置３２によるローラ３１の加熱処理を開始するように制御を行う。
【００３３】
図２は、各モジュール間における信号の送受信の様子を示した図である。詳しくは、エンジンドライバ２０、システム制御部１２、画像処理部１６間における処理信号のやり取りを示した図である。
図３は、本実施の形態に係るレーザプリンタ１における定着部３０の制御動作処理の手順を示したフローチャートである。
図４は、画像処理部１６におけるイメージ画像データの展開期間、および定着部３０におけるローラ３１の加熱期間を示したタイムチャートである。
【００３４】
レーザプリンタ１に電源が投入されると、または、レーザプリンタ１がスタンバイ状態から復帰すると、エンジンドライバ２０は、定着部３０（詳しくはローラ３１）を正常な定着処理が可能な設定温度まで立ち上げるために要する時間、即ち定着部３０の立ち上がり時間をシステム制御部１２に通知する（ステップ１０１）。なお、定着部３０の立ち上がり時間は、図４に示すＸ時間を意味する。
この定着部３０の立ち上がり時間は、予めエンジンドライバ２０内にパラメータとして格納されているデフォルト値（基準値）に対して、補正計算処理を施すことによって算出される。なお、デフォルト値（基準値）は、実験的に把握している値である。
定着部３０の立ち上がり時間は、定着部３０の構成や、温度、湿度等の影響を受けて変化する。そのため、デフォルト値（基準値）の補正計算処理は、定着部３０のセンサ３３で検出された温度や湿度の情報に基づいて実行される。
【００３５】
システム制御部１２は、このようにして算出された定着部３０の立ち上がり時間通知をエンジンドライバ２０から取得する（ステップ１１）。
システム制御部１２は、定着部３０の立ち上がり時間通知を受信すると、この受信した定着部３０の立ち上がり時間のデータを送信するとともに、定着部３０の立ち上げ開始タイミングの通知を画像処理部１６へ要求する（ステップ１０２）。この要求をすることにより、定着部３０の立ち上げ開始タイミングが分かった時点（算出された時点）でシステム制御部１２に、定着部３０の立ち上げ開始タイミングを通知するように応答要求が設定される。
画像処理部１６は、ホストＰＣ２からの印刷要求および印刷データを受信すると（ステップ１２）、受信した印刷データを１ページごとにイメージ画像データに展開する処理、即ちページ展開処理を開始する（ステップ１３）。
【００３６】
画像処理部１６は、ページ展開処理を行う印刷データの大きさや、画像処理部１６における処理速度等のデータに基づいて、ページ展開に要する時間を算出する。なお、ページ展開に要する時間は、図４に示すＡ時間を意味する。
そして、算出されたページ展開に要する時間と、現在処理中のページ展開処理状況と、を比較して、未処理データのページ展開に要する時間、即ち、残ページ展開時間を算出する（ステップ１４）。
画像処理部１６は、算出された残ページ展開時間と、定着部３０の立ち上がり時間とを比較し、残ページ展開時間が定着部３０の立ち上がり時間より短いか否かを判断する（ステップ１５）。
残ページ展開時間が定着部３０の立ち上がり時間より短くない、即ち長い場合（ステップ１５；Ｎ）、一定時間が経過した後、再度ステップ１４の処理を繰り返す。
例えば、残ページ展開時間が図４のＢ時間に相当する場合には、一定時間が経過した後、再度ステップ１４の処理を繰り返す。
【００３７】
一方、残ページ展開時間が定着部３０の立ち上がり時間より短い場合、残ページ展開時間が定着部３０の立ち上がり時間以下となった場合（ステップ１５；Ｙ）、画像処理部１６は、システム制御部１２へ、定着部３０の立ち上げ開始タイミングを通知する（ステップ１６、ステップ１０３）。
例えば、残ページ展開時間が図４のＣ時間に相当する場合には、画像処理部１６は、システム制御部１２へ、定着部３０の立ち上げ開始タイミングを通知する。
システム制御部１２は、定着部３０の立ち上げ開始タイミング通知を画像処理部１６から受信すると、エンジンドライバ２０へ、定着部３０の立ち上げ開始要求を送信する（ステップ１０４）。
エンジンドライバ２０は、この定着部３０の立ち上げ開始要求を受信すると、定着部３０の立ち上げ制御、即ち加熱装置３２によるローラ３１の加熱処理を開始する。
この時点で定着部３０の立ち上げを開始することにより、図４に示すように、定着部３０が正常な定着処理が可能な設定温度に到達するタイミング（ウォームアップが終了するタイミング）と、画像処理部１６におけるページ展開処理が終了するタイミングとを合わせることができる。
【００３８】
画像処理部１６は、ページ展開処理が終了すると、ページ展開処理の終了通知とともに、イメージ画像データをシステム制御部１２に転送する（ステップ１０５）。
システム制御部１２は、ページ展開処理の終了通知を受信すると、エンジンドライバ２０へ印刷要求を発行する（ステップ１０６）。
エンジンドライバ２０は、印刷要求を受信すると、イメージ画像データに基づいて、実際にイメージ画像を形成するエンジン部の制御を開始する。
【００３９】
このように、画像処理部１６において一定時間経過ごとに残ページ展開時間（図４のＡ、Ｂ、Ｃ時間）を算出し、定着部３０の立ち上がり時間（Ｘ時間）と比較することにより、定着部３０が正常な定着処理が可能な設定温度に到達するタイミング（ウォームアップが終了するタイミング）と、画像処理部１６におけるページ展開処理が終了するタイミングとを合わせることができる。
これにより、定着部３０の制御、詳しくは、加熱装置３２に必要な通電時間を最小に抑えることが可能になる。即ち、定着部３０における無駄な電力消費を抑制することができる。
なお、画像処理部１６で行われる残ページ展開時間等の算出処理は、コントローラ部１０の他の装置において行うようにしてもよい。
【００４０】
次に、連続して複数ページの画像形成処理を行われる場合における定着部３０の制御方法について説明する。
連続して複数ページの画像形成処理が行われるような場合、定着部３０は、初期状態（例えば、電源投入前の状態）のように温度が低下することはなく、ある程度にまで暖められた状態にある。
図５は、各モジュール間における信号の送受信の様子を示した図である。詳しくは、エンジンドライバ２０、システム制御部１２、画像処理部１６間における処理信号のやり取りを示した図である。
図６は、本実施の形態に係るレーザプリンタ１における定着部３０の制御動作処理の手順を示したフローチャートである。
【００４１】
画像処理部１６は、ホストＰＣ２からの印刷要求および印刷データを受信すると（ステップ２１）、受信した印刷データを１ページごとにイメージ画像データに展開する処理、即ちページ展開処理を開始する（ステップ２２）。なお、前ページの展開処理が終了した後、次ページの展開処理が開始される。
また、画像処理部１６は、システム制御部１２へ、定着部３０の立ち上がり時間の通知を要求する（ステップ２０１）。
システム制御部１２は、定着部３０の立ち上がり時間の通知の要求を画像処理部１６から受信すると、エンジンドライバ２０へ、定着部３０の立ち上がり時間の通知を要求する（ステップ２０２）。
エンジンドライバ２０は、定着部３０の立ち上がり時間の通知の要求を受信すると、現時点における定着部３０（詳しくはローラ３１）を正常な定着処理が可能な設定温度まで立ち上げるために要する時間を算出し、算出された定着部３０の立ち上がり時間を、システム制御部１２へ通知する（ステップ２０３）。
なお、定着部３０の立ち上がり時間は、上述した方法と同様に、補正計算処理を施すことによって算出される。
【００４２】
システム制御部１２は、このようにして算出された定着部３０の立ち上がり時間通知をエンジンドライバ２０から取得する（ステップ２３）。
システム制御部１２は、定着部３０の立ち上がり時間通知受信すると、この受信した定着部３０の立ち上がり時間のデータを通知する（ステップ２０４）とともに、定着部３０の立ち上げ開始タイミングの通知を画像処理部１６へ要求する。
ステップ２０５〜２０８に示すように、画像処理部１６において次ページの展開処理が開始される都度、ステップ２０１〜２０４と同様の処理を行う。
定着部３０（ローラ３１）の温度は前ページの印刷の影響を受けているが、このように、随時立ち上げ時間を取得することで、誤差を少なくすることができる。
【００４３】
画像処理部１６は、ページ展開処理を行う印刷データの大きさや、画像処理部１６における処理速度等のデータに基づいて、ページ展開に要する時間を算出する。
そして、算出されたページ展開に要する時間と、現在処理中のページ展開処理状況と、を比較して、未処理データのページ展開に要する時間、即ち、残ページ展開時間を算出する（ステップ２４）。
画像処理部１６は、算出された残ページ展開時間と、定着部３０の立ち上がり時間とを比較し、残ページ展開時間が定着部３０の立ち上がり時間より短いか否かを判断する（ステップ２５）。
残ページ展開時間が定着部３０の立ち上がり時間より短くない、即ち長い場合（ステップ２５；Ｎ）、一定時間が経過した後、再度ステップ２３の処理を繰り返す。
【００４４】
一方、残ページ展開時間が定着部３０の立ち上がり時間より短い場合、残ページ展開時間が定着部３０の立ち上がり時間以下となった場合（ステップ２５；Ｙ）、画像処理部１６は、システム制御部１２へ、定着部３０の立ち上げ開始タイミングを通知する（ステップ２６、ステップ２０９）。
システム制御部１２は、定着部３０の立ち上げ開始タイミング通知を画像処理部１６から受信すると、エンジンドライバ２０へ、定着部３０の立ち上げ開始要求を送信する（ステップ２１０）。
エンジンドライバ２０は、この定着部３０の立ち上げ開始要求を受信すると、定着部３０の立ち上げ制御、即ち加熱装置３２によるローラ３１の加熱処理を開始する。
この時点で定着部３０の立ち上げを開始することにより、定着部３０が正常な定着処理が可能な設定温度に到達するタイミング（ウォームアップが終了するタイミング）と、画像処理部１６におけるページ展開処理が終了するタイミングとを合わせることができる。
【００４５】
画像処理部１６は、ページ展開処理が終了すると、ページ展開処理の終了通知とともに、イメージ画像データをシステム制御部１２に転送する（ステップ２１１）。
システム制御部１２は、ページ展開処理の終了通知を受信すると、エンジンドライバ２０へ印刷要求を発行する（ステップ２１２）。
エンジンドライバ２０は、印刷要求を受信すると、イメージ画像データに基づいて、実際にイメージ画像を形成するエンジン部の制御を開始する。
【００４６】
このように、ページごとに随時、定着部３０の立ち上がり時間と残ページ展開時間を比較することにより、画像処理部１６は、ページごとの処理状況を適切に判断することができる。
これにより、システム制御部１２は、適切なタイミングにおいて定着部３０の立ち上げをエンジンドライバへ要求することができ、定着部３０が正常な定着処理が可能な設定温度に到達するタイミング（ウォームアップが終了するタイミング）と、画像処理部１６におけるページ展開処理が終了するタイミングとのタイミング誤差を抑制することができる。
【００４７】
従って、定着部３０の制御、詳しくは、加熱装置３２に必要な通電時間を最小に抑えることが可能になる。即ち、定着部３０における無駄な電力消費を抑制することができる。
特に、イメージ画像データの展開に時間がかかる場合や、定着部３０（加熱装置３２）の消費電力、ローラ３１の熱容量が大きい場合には、効果が顕著に表れる。
また、随時、定着部３０の周囲環境（温度や湿度）を検出し、定着部３０の立ち上がり時間の補正処理を行うことにより、より適切な定着部３０の制御を行うことができる。
【図面の簡単な説明】
【００４８】
【図１】本実施の形態に係るレーザプリンタにおける機能ブロックの概略構成を示した図である。
【図２】各モジュール間における信号の送受信の様子を示した図である。
【図３】本実施の形態に係るレーザプリンタにおける定着部の制御動作処理の手順を示したフローチャートである。
【図４】画像処理部におけるイメージ画像データの展開期間、および定着部におけるローラの加熱期間を示したタイムチャートである。
【図５】各モジュール間における信号の送受信の様子を示した図である。
【図６】本実施の形態に係るレーザプリンタにおける定着部の制御動作処理の手順を示したフローチャートである。
【符号の説明】
【００４９】
１  レーザプリンタ
２  ホストＰＣ
１０  コントローラ部
１１  Ｉ／Ｏ部
１２  システム制御部
１３  ＣＰＵ
１４  メモリ
１５  ＡＳＩＣ
１６  画像処理部
２０  エンジンドライバ
２１  ＣＰＵ
２２  制御回路
３０  定着部
３１  ローラ
３２  加熱装置
３３  センサ
４０  感光体
５０  現像部
６０  転写部
７０  操作パネル
１６１  ページメモリ
【図１】
2006251363.tif 000003
【図２】
2006251363.tif 000004
【図３】
2006251363.tif 000005
【図４】
2006251363.tif 000006
【図５】
2006251363.tif 000007
【図６】
2006251363.tif 000008